(57)【特許請求の範囲】
【請求項１】
炉内に設けられた炉床に立設された各支持部材の上に炉長方向に沿った固定ビームが複数設けられると共に、上記の炉床の下方に設けられた移動フレームから炉床に設けられた貫通部を通して炉床の上方に突出された各支持部材の上に炉長方向に沿った駆動ビームが複数設けられ、上記の移動フレームがウォーキングビーム駆動手段に設けられた回転体に支持され、この回転体を介してウォーキングビーム駆動手段により、上記の移動フレームに設けられた駆動ビームがウォーキング動作を行うウォーキングビーム式加熱炉の改修方法において、上記の炉内から固定ビームが設けられた炉床と駆動ビームが設けられた移動フレームとを取り出すにあたり、上記の炉床と移動フレームとを連結させて一体化させると共に炉床を炉から分離させ、一体化された炉床と移動フレームとを所定の長さに切断して取出し位置から取り出すと共に、一体化された炉床と移動フレームを上記の回転体を回転させながら順々に取出し位置に導くことを特徴とするウォーキングビーム式加熱炉の改修方法。
【請求項２】
請求項１に記載のウォーキングビーム式加熱炉の改修方法において、一体化された炉床と移動フレームとを所定の長さに切断した場合に、所定の長さに切断された炉床と移動フレームとが２つの回転体に支持されない場合に、回転体に支持される移動フレームに延長フレームを取り付けて、所定の長さに切断された炉床と移動フレームとが２つ以上の回転体に支持されるようにしたことを特徴とするウォーキングビーム式加熱炉の改修方法。
【請求項３】
請求項１又は請求項２に記載のウォーキングビーム式加熱炉の改修方法において、上記の回転体に支持される移動フレームの支持部分に凹凸がある場合に、この移動フレームの支持部分が平坦になるようにその凹部に補助部材を取り付けることを特徴とするウォーキングビーム式加熱炉の改修方法。
【請求項４】
請求項１〜請求項３の何れか１項に記載のウォーキングビーム式加熱炉の改修方法において、上記の炉の天井部に出入口を開口させ、上記のように一体化されて所定長さに切断された炉床と移動フレームを、この出入口を通して昇降装置により吊り上げて炉内から取り出すことを特徴とするウォーキングビーム式加熱炉の改修方法。
【請求項５】
炉内に設けられた炉床に立設された各支持部材の上に炉長方向に沿った固定ビームが複数設けられると共に、上記の炉床の下方に設けられた移動フレームから炉床に設けられた貫通部を通して炉床の上方に突出された各支持部材の上に炉長方向に沿った駆動ビームが複数設けられ、上記の移動フレームがウォーキングビーム駆動手段に設けられた回転体に支持され、この回転体を介してウォーキングビーム駆動手段により、上記の移動フレームに設けられた駆動ビームがウォーキング動作を行うウォーキングビーム式加熱炉の製造方法において、所定長さになった炉床と移動フレームとを連結させて一体化し、一体化された所定長さの炉床と移動フレームとを炉に設けられた出入口を通して炉内に導入させて、上記の移動フレームをウォーキングビーム駆動手段に設けられた回転体に支持させ、この回転体を回転させながら、一体化された所定長さの炉床と移動フレームを順々に炉内において移動させることを特徴とするウォーキングビーム式加熱炉の製造方法。
【請求項６】
請求項５に記載のウォーキングビーム式加熱炉の製造方法において、一体化された所定長さになった炉床と移動フレームが２つの回転体に支持されない場合に、回転体に支持される移動フレームに延長フレームを取り付けて、一体化された炉床と移動フレームとが２つ以上の回転体に支持されるようにしたことを特徴とするウォーキングビーム式加熱炉の製造方法。
【請求項７】
請求項５又は請求項６に記載のウォーキングビーム式加熱炉の製造方法において、上記の回転体に支持される移動フレームの支持部分に凹凸がある場合に、この移動フレームの支持部分が平坦になるように補助部材を取り付けることを特徴とするウォーキングビーム式加熱炉の製造方法。
【請求項８】
請求項５〜請求項７の何れか１項に記載のウォーキングビーム式加熱炉の製造方法において、上記の炉の天井部に出入口を開口させ、上記のように一体化されて所定長さになった炉床と移動フレームを、この出入口を通して昇降装置により吊り下げて炉内に導入させることを特徴とするウォーキングビーム式加熱炉の製造方法。
【発明の詳細な説明】
【技術分野】
【０００１】
本発明は、炉内に設けられた炉床に立設された各支持部材の上に炉長方向に沿った固定ビームが複数設けられると共に、上記の炉床の下方に設けられた移動フレームから炉床に設けられた貫通部を通して炉床の上方に突出された各支持部材の上に炉長方向に沿った駆動ビームが複数設けられ、上記の移動フレームがウォーキングビーム駆動手段に設けられた回転体に支持され、この回転体を介してウォーキングビーム駆動手段により、上記の移動フレームに設けられた駆動ビームがウォーキング動作を行うウォーキングビーム式加熱炉の改修方法及び製造方法に関するものである。特に、固定ビームが複数設けられた炉床と駆動ビームが複数設けられた移動フレームとを炉内から取り出したり、炉内にセットしたりする作業が簡単に行えて、作業時間を大幅に短縮できると共に、コストも低減できるようにした点に特徴を有するものである。
【背景技術】
【０００２】
従来から、鋼片、鋼板等の被処理材を炉内において順々に移動させて連続的に加熱処理する加熱炉として、プッシャー式加熱炉やウォーキングビーム式加熱炉が使用されている。
【０００３】
ここで、ウォーキングビーム式加熱炉においては、一般に、炉内に設けられた炉床に立設された各支持部材の上に炉長方向に沿った固定ビームを複数設けると共に、上記の炉床の下方に設けられた移動フレームから炉床に設けられた貫通部を通して炉床の上方に突出された各支持部材の上に炉長方向に沿った駆動ビームを複数設け、上記の移動フレームをウォーキングビーム駆動手段に設けられた回転体に支持させ、この回転体を介してウォーキングビーム駆動手段により、上記の移動フレームに設けられた駆動ビームをウォーキング動作をさせて、被処理材を炉内において順々に移動させるようになっている。
【０００４】
また、そのような加熱炉においては、既設のプッシャー式加熱炉をウォーキングビーム式加熱炉に変更させたり、ウォーキングビーム式加熱炉の内部を新しく交換させたりすることが行われる。
【０００５】
ここで、既設のプッシャー式加熱炉をウォーキングビーム式加熱炉に変更させるにあたり、特許文献１に示されるものにおいては、炉内の適当な高さの位置に炉長方向に伸びたレールを設置すると共に、吊上げ装置を備えた移動台車をこのレールにセットし、この移動台車に設けられた吊上げ装置によりプッシャー式加熱炉内で解体した炉床等を吊上げて移動台車により移動させ、炉の天井部に設けられた出入口を通して炉外に排出させるようにしている。次いで、炉の天井部に設けられた出入口を通してウォーキングビーム式加熱炉に用いる上記の移動フレームや駆動ビームや炉床等の各種の構築材料をクレーンにより炉内に搬入し、このように搬入された各種の構築材料を上記の吊上げ装置により吊上げて移動台車によって所定の位置に搬送させ、このように搬送された構築材料を順々に組み立ててウォーキングビーム式加熱炉を構築した後、上記のレールや移動台車を炉外に搬出させるようにしている。
【０００６】
しかし、上記のように炉内の適当な高さの位置に炉長方向に伸びたレールを設置する作業は非常に面倒であると共に、構築材料を移動台車に設けられた吊上げ装置により吊り下げて、この移動台車を何度も往復移動させて構築材料を搬送させるため、ウォーキングビーム式加熱炉を構築する作業時間が非常に長くなると共にコストも高くつき、またウォーキングビーム式加熱炉を構築した後、上記のレールや移動台車を炉外に搬出させる作業も面倒で、さらに作業時間が長くなるという問題があった。
【０００７】
また、特許文献２に示されるものにおいては、炉内からプッシャー式加熱炉における構築材料を取り出した後、炉内にウォーキングビーム式加熱炉に用いる移動フレームや駆動ビームや炉床等の各種の構築材料を炉内に搬入させるにあたり、構築材料を予め炉外で複数のブロックに分割させて組み立てると共に、炉の底部にレールを敷設し、このレールに沿って走行するジャッキ付走行台車を配置させるようにしている。そして、上記のように組み立てた各ブロックを、炉の天井部に設けられた出入口を通してクレーン等により炉内に搬入させると共に、このブロックをジャッキ付走行台車に設けられたジャッキ部に支持させて、このジャッキ付走行台車により所定の位置に順々に搬送させ、このように搬送された各ブロックを連結させてウォーキングビーム式加熱炉を構築した後、上記のレールやジャッキ付走行台車を炉外に搬出させるようにしている。
【０００８】
しかし、この特許文献２に示されるものにおいても、炉の底部にレールを敷設する作業が必要になると共に、炉の底部にレールを敷設するためには、炉の底部における障害物を十分に撤去させることが必要になり、またブロックをジャッキ部に支持させてジャッキ付走行台車を何度も往復移動させて各ブロックを搬送させるため、ウォーキングビーム式加熱炉を構築する作業時間が非常に長くなると共にコストも高くつき、さらにウォーキングビーム式加熱炉を構築した後、上記のレールやジャッキ付走行台車を炉外に搬出させる作業も面倒で、さらに作業時間が長くなるという問題があった。
【先行技術文献】
【特許文献】
【０００９】
【特許文献１】特公平７−５２０６７号公報
【特許文献２】特開２００２−１８０１２５号公報
【発明の開示】
【発明が解決しようとする課題】
【００１０】
本発明は、上記のようなウォーキングビーム式加熱炉を改修したり、製造したりする場合における上記のような様々な問題を解決することを課題とするものであり、固定ビームが複数設けられた炉床と駆動ビームが複数設けられた移動フレームとを炉内から取り出したり、炉内にセットしたりする作業が簡単に行えて、作業時間を大幅に短縮できると共に、コストも低減できるようにすることを課題とするものである。
【課題を解決するための手段】
【００１１】
本発明に係るウォーキングビーム式加熱炉の改修方法においては、炉内に設けられた炉床に立設された各支持部材の上に炉長方向に沿った固定ビームが複数設けられると共に、上記の炉床の下方に設けられた移動フレームから炉床に設けられた貫通部を通して炉床の上方に突出された各支持部材の上に炉長方向に沿った駆動ビームが複数設けられ、上記の移動フレームがウォーキングビーム駆動手段に設けられた回転体に支持され、この回転体を介してウォーキングビーム駆動手段により、上記の移動フレームに設けられた駆動ビームがウォーキング動作を行うウォーキングビーム式加熱炉の改修方法において、上記の炉内から固定ビームが設けられた炉床と駆動ビームが設けられた移動フレームとを取り出すにあたり、上記の炉床と移動フレームとを連結させて一体化させると共に炉床を炉から分離させ、一体化された炉床と移動フレームとを所定の長さに切断して取出し位置から取り出すと共に、一体化された炉床と移動フレームを上記の回転体を回転させながら順々に取出し位置に導くようにした。
【００１２】
ここで、上記のように一体化された炉床と移動フレームとを所定の長さに切断した場合において、所定の長さに切断された炉床と移動フレームとが２つの回転体に支持されない場合には、回転体に支持される移動フレームに延長フレームを取り付けて、所定の長さに切断された炉床と移動フレームとが２つ以上の回転体に支持されるようにすることができる。
【００１３】
また、上記のように回転体に支持される移動フレームの支持部分に凹凸がある場合に、この移動フレームの支持部分が平坦になるようにその凹部に補助部材を取り付けると、上記のように一体化された炉床と移動フレームを、回転体を回転させながら順々に取出し位置に移動させる際に、一体化された炉床と移動フレームががたつくことなく、回転体の回転により適切に移動されるようになる。
【００１４】
また、一体化されて所定長さに切断された炉床と移動フレームとを取出し位置から取り出すにあたっては、炉の天井部に出入口を開口させ、上記のように一体化されて所定長さに切断された炉床と移動フレームを、この出入口を通して昇降装置により吊り上げて炉内から取り出すようにすることができる。
【００１５】
また、本発明に係るウォーキングビーム式加熱炉の製造方法においては、炉内に設けられた炉床に立設された各支持部材の上に炉長方向に沿った固定ビームが複数設けられると共に、上記の炉床の下方に設けられた移動フレームから炉床に設けられた貫通部を通して炉床の上方に突出された各支持部材の上に炉長方向に沿った駆動ビームが複数設けられ、上記の移動フレームがウォーキングビーム駆動手段に設けられた回転体に支持され、この回転体を介してウォーキングビーム駆動手段により、上記の移動フレームに設けられた駆動ビームがウォーキング動作を行うウォーキングビーム式加熱炉の製造方法において、所定長さになった炉床と移動フレームとを連結させて一体化し、一体化された所定長さの炉床と移動フレームとを炉に設けられた出入口を通して炉内に導入させて、上記の移動フレームをウォーキングビーム駆動手段に設けられた回転体に支持させ、この回転体を回転させながら、一体化された所定長さの炉床と移動フレームを順々に炉内において移動させるようにした。
【００１６】
ここで、上記のように一体化された所定長さになった炉床と移動フレームが２つの回転体に支持されない場合には、回転体に支持される移動フレームに延長フレームを取り付けて、一体化された炉床と移動フレームとが２つ以上の回転体に支持されるようにすることができる。
【００１７】
また、回転体に支持される移動フレームの支持部分に凹凸がある場合に、この移動フレームの支持部分が平坦になるように補助部材を取り付けると、上記のように一体化された炉床と移動フレームを、回転体を回転させながら移動させる際に、一体化された炉床と移動フレームががたつくことなく、回転体の回転により適切に移動されるようになる。
【００１８】
また、一体化された所定長さの炉床と移動フレームを、炉に設けられた出入口を通して炉内に導入させるにあたっては、炉の天井部に出入口を開口させ、上記のように一体化された炉床と移動フレームを、この出入口を通して昇降装置により吊り下げて炉内に導入させるようにすることができる。
【発明の効果】
【００１９】
本発明におけるウォーキングビーム式加熱炉の改修方法においては、炉内から固定ビームが設けられた炉床と駆動ビームが設けられた移動フレームとを取り出すにあたり、一体化された炉床と移動フレームを、移動フレームを支持している回転体を回転させながら取出し位置に移動させるようにしたため、従来のように炉内や炉底部にレールを敷設したり、移動台車に設けられた吊上げ装置や走行台車に設けられたジャッキ部により、一体化された炉床と移動フレームとを保持させ、上記のレールに沿って移動台車や走行台車を何度も往復移動させたりする必要がなくなり、固定ビームが複数設けられた炉床と駆動ビームが複数設けられた移動フレームとを炉内から取り出す作業が簡単に行えて、作業時間を大幅に短縮できると共に、コストも低減できるようになる。
【００２０】
また、本発明におけるウォーキングビーム式加熱炉の製造方法においては、所定長さになった炉床と移動フレームとを連結させて一体化させ、この一体化された所定長さの炉床と移動フレームとを炉に設けられた出入口を通して炉内に導入させて、上記の移動フレームをウォーキングビーム駆動手段に設けられた回転体に支持させ、この回転体を回転させながら、一体化された所定長さの炉床と移動フレームを順々に炉内において移動させるようにしたため、この場合にも、従来のように炉内や炉底部にレールを敷設したり、移動台車に設けられた吊上げ装置や走行台車に設けられたジャッキ部により、一体化された炉床と移動フレームを保持させ、上記のレールに沿って移動台車や走行台車を何度も往復移動させたりする必要がなくなり、一体化された所定長さの炉床と移動フレームを順々に炉内において移動させる作業が簡単に行えるようになり、ウォーキングビーム式加熱炉を製造する作業時間を大幅に短縮できると共に、コストも低減できるようになる。
【００２１】
また、本発明におけるウォーキングビーム式加熱炉の改修方法及びウォーキングビーム式加熱炉の製造方法においては、上記のように炉内や炉底部にレールを敷設したり、吊上げ装置が設けられた移動台車やジャッキ付走行台車をレールにセットして移動させたりしないため、炉内から固定ビームが設けられた炉床と駆動ビームが設けられた移動フレームとを取り出した後や、炉内に固定ビームが設けられた炉床と駆動ビームが設けられた移動フレームとをセットしてウォーキングビーム式加熱炉を製造した後において、敷設されたレールや、上記の吊上げ装置が設けられた移動台車や、ジャッキ付走行台車を炉外に搬出させる作業も必要なくなり、さらに作業時間が短縮されるようになる。
【図面の簡単な説明】
【００２２】
【図１】本発明の一実施形態に係るウォーキングビーム式加熱炉の一部を示した概略横断面説明図である。
【図２】上記の実施形態におけるウォーキングビーム式加熱炉の概略縦断面説明図である。
【図３】上記の実施形態におけるウォーキングビーム式加熱炉において、連結部材によって連結された炉床と移動フレームとを所定の長さになるように切断させた状態を示した概略横断面説明図である。
【図４】上記の実施形態におけるウォーキングビーム式加熱炉において、連結部材によって移動フレームと連結された炉床を炉から切断させて分離させた状態を示した概略縦断面説明図である。
【図５】上記の実施形態におけるウォーキングビーム式加熱炉において、炉床と移動フレームとが一体化されて所定の長さになったブロックを、炉の天井部に設けられた出入口から取り出す状態を示した概略横断面説明図である。
【図６】上記の実施形態におけるウォーキングビーム式加熱炉において、炉床と移動フレームとが一体化されて所定の長さになったブロックを、炉の天井部に設けられた出入口から取り出すにあたり、一体化された所定長さになった炉床と移動フレームが２つの回転体に支持されない場合に、回転体に支持される補助部材或いは移動フレームに延長フレームを取り付けた状態を示した概略横断面説明図である。
【図７】上記の実施形態におけるウォーキングビーム式加熱炉において、炉床と移動フレームとが一体化されて所定の長さになったブロックを、炉の天井部に設けられた出入口から炉内に導入させる状態を示した概略横断面説明図である。
【図８】上記の実施形態におけるウォーキングビーム式加熱炉において、ウォーキングビーム駆動手段により、移動フレームを上下方向に往復移動させる場合の第１の変更例を示した概略部分説明図である。
【図９】上記の実施形態におけるウォーキングビーム式加熱炉において、ウォーキングビーム駆動手段により、移動フレームを上下方向に往復移動させる場合の第２の変更例を示した概略部分説明図である。
【発明を実施するための最良の形態】
【００２３】
以下、この発明の実施形態に係るウォーキングビーム式加熱炉の改修方法及び製造方法を添付図面に基づいて具体的に説明する。なお、この発明に係るウォーキングビーム式加熱炉の改修方法及び製造方法は下記の実施形態に示したものに限定されず、発明の要旨を変更しない範囲において、適宜変更して実施できるものである。
【００２４】
この実施形態におけるウォーキングビーム式加熱炉においては、図１及び図２に示すように、炉１内に設けられた炉床１０に、炉長方向及び炉１の幅方向にそれぞれ所要間隔を介して複数の支持部材１１を立設させ、炉長方向に沿うようにして固定ビーム１２を炉長方向に沿った各支持部材１１の上に取り付け、このように炉長方向に沿った固定ビーム１２を炉１の幅方向に所要間隔を介して複数設けている。
【００２５】
また、上記の炉床１０の下方に移動フレーム２０を設け、この移動フレーム２０から炉床１０に設けられた各貫通部１３を通して炉床１０の上方に突出するようにして、複数の支持部材２１を、炉長方向及び炉１の幅方向にそれぞれ所要間隔を介して設け、炉長方向に沿うようにして駆動ビーム２２を炉長方向に沿った各支持部材２１の上に取り付け、このように炉長方向に沿った駆動ビーム２２を、上記の固定ビーム１２の間において炉１の幅方向に所要間隔を介して複数設けている。
【００２６】
また、上記の移動フレーム２０の下部に突出するようにして、ウォーキングビーム駆動手段３０に設けられた回転体３１に支持される補強用の支持部２３を炉長方向に所要間隔を介して複数設け、この各支持部２３において移動フレーム２０をウォーキングビーム駆動手段３０における各回転体３１に支持させるようにしている。
【００２７】
そして、ウォーキングビーム駆動手段３０により、移動フレーム２０を上下方向に往復移動させると共に炉長方向に往復移動させて、この移動フレーム２０に設けられた駆動ビーム２２をウォーキング動作させ、炉１内に導入された被処理物Ｗを炉長方向に順々に移動させて加熱処理し、炉１の取出し口２に設けた扉３を開けて、このように加熱処理された被処理物Ｗを取出し口２から取り出すようにしている。
【００２８】
ここで、上記のウォーキングビーム駆動手段３０において、移動フレーム２０を上下方向に往復移動させるにあたっては、回転装置３２によって回転される偏心カム３３を設けると共に、上記の回転体３１として、この偏心カム３３の外周に回転リング３１を回転自在に装着させ、この回転リング３１の上に移動フレーム２０に設けられた支持部２３を支持させ、上記の回転装置３２によって回転される偏心カム３３により回転リング３１を介して移動フレーム２０を上下方向に往復移動させるようにしている。
【００２９】
また、上記のウォーキングビーム駆動手段３０において、移動フレーム２０を炉長方向に往復移動させるにあたっては、上記の移動フレーム２０の炉長方向の端部に前後移動用シリンダ３４を接続し、この前後移動用シリンダ３４により移動フレーム２０を炉長方向に往復移動させるようにしている。
【００３０】
そして、上記のように回転装置３２により偏心カム３３を回転させ、この偏心カム３３の外周に装着された回転リング３１を介して移動フレーム２０を上下方向に往復移動させる共に、上記の前後移動用シリンダ３４により移動フレーム２０を炉長方向に往復移動させ、偏心カム３３によって移動フレーム２０を上方に持ち上げるのと合わせて、前後移動用シリンダ３４により移動フレーム２０を被処理物Ｗの送り方向に移動させて、移動フレーム２０に設けられた駆動ビーム２２をウォーキング動作させ、被処理物Ｗを順々に送るようにしている。
【００３１】
ここで、上記のウォーキングビーム式加熱炉において、上記のように固定ビーム１２が設けられた炉床１０と、駆動ビーム２２が設けられた移動フレーム２０とを新しいものに交換するにあたっては、図３及び図４に示すように、上記の炉床１０を連結部材１４によって移動フレーム２０と適当な位置において連結すると共に、移動フレーム２０の下部に突出して設けられた支持部２３間における凹部２３ａに補助部材２４を取り付けて、上記の回転リング３１によって支持される移動フレーム２０の下端が平坦になるようにする。なお、支持部２３間における凹部２３ａに補助部材２４を取り付けるにあたっては、支持部２３間に補助部材２４を溶接させたり、ボルトなどで取り付けたりすることができる。
【００３２】
そして、炉１の幅方向両端部において、上記の炉床１０を炉１から切断して分離させると共に、上記のように連結部材１４によって連結された炉床１０と移動フレーム２０とが所定の長さになるようにして適当な位置において切断し、連結部材１４によって連結された炉床１０と移動フレーム２０とを所定の長さになったブロックＢに分離させ、また上記の前後移動用シリンダ３４を移動フレーム２０から分離させる。
【００３３】
次いで、図５に示すように、上記の炉１の天井部４に、上記のブロックＢを取り出す適当な大きさの出入口５を開口させ、上記のように炉床１０と移動フレーム２０とが一体化されて所定の長さになったブロックＢを、炉１の上方に設けられたクレーン等の昇降装置４０により吊り上げて、上記の出入口５を通して炉１の内部から外部に取り出すようにする。
【００３４】
また、連結部材１４によって連結されて一体化された炉床１０と移動フレーム２０とをウインチ４１により引っ張り、上記のように補助部材２４が取り付けられて平坦になった移動フレーム２０の下端を支持する上記の回転リング３１を回転させながら、天井部４に開口された出入口５の下の取出し位置に導くようにする。
【００３５】
また、このように取出し位置に導かれた連結部材１４により一体化された炉床１０と移動フレーム２０を適当な位置において切断し、炉床１０と移動フレーム２０とが一体化されて所定の長さになったブロックＢに分離させ、上記のようにこのブロックＢを炉１の上方に設けられたクレーン等の昇降装置４０により吊り上げて、上記の出入口５を通して炉１の内部から外部に取り出すようにする。
【００３６】
そして、このような操作を繰り返して行い、連結部材１４によって連結されて一体化された炉床１０と移動フレーム２０を全てブロックＢにして炉１内から取り出すようにする。
【００３７】
このようにすると、連結部材１４により連結されて一体化された炉床１０と移動フレーム２０とが、回転する回転リング３１によって出入口５の下の取出し位置に簡単に導かれるようになり、従来のように炉内や炉底部にレールを敷設し、移動台車に設けられた吊上げ装置や走行台車に設けられたジャッキ部により、一体化された所定長さの炉床と移動フレームを保持させ、上記のレールに沿って移動台車や走行台車を何度も往復移動させる必要がなくなる。
【００３８】
なお、上記のように連結部材１４によって連結されて一体化された炉床１０と移動フレーム２０を全てブロックＢにして炉１内から取り出すにあたり、一体化されて切断された炉床１０と移動フレーム２０が、上記の２つの回転リング３１に支持されない場合には、図６に示すように、上記の補助部材２４或いは移動フレーム２０に延長フレーム２５を取り付け、上記の一体化された炉床１０と移動フレーム２０が２つ以上の回転リング３１によって安定して支持されるようにすることができる。
【００３９】
また、上記のようにして炉１内から全ての炉床１０と移動フレーム２０とを取り出した後、炉１内に新しい炉床１０と移動フレーム２０とを設けるにあたっては、上記のように支持部材１１の上に固定ビーム１２が取り付けられた所定長さの炉床１０に対して、この炉床１０に対応した長さになった移動フレーム２０における支持部材２１を炉床１０の貫通部１３を通して炉床１０の上方に突出させ、この支持部材２１の上に駆動ビーム２２を取り付けた後、所定の長さになった炉床１０と移動フレーム２０とを連結部材１４により連結して、炉床１０と移動フレーム２０とが一体化されて所定の長さになったブロックＢを得ると共に、上記の移動フレーム２０の下部に突出して設けられた支持部２３に補助部材２４を取り付けて、移動フレーム２０の下端が平坦になるようにする。
【００４０】
そして、図７に示すように、炉床１０と移動フレーム２０とが一体化されて所定の長さになったブロックＢを、炉１の上方に設けられたクレーン等の昇降装置４０により上記の出入口５を通して炉１の内部に導き、上記のように支持部２３に補助部材２４が取り付けられて平坦になった移動フレーム２０の下端を、偏心カム３３の外周に回転自在に装着された回転リング３１の上に載置させるようにする。
【００４１】
その後、このブロックＢを昇降装置４０から取り外し、このブロックＢをウインチ（図示せず）等により取り出し時とは逆方向に引っ張り、平坦になった移動フレーム２０の下端を支持する上記の回転リング３１を回転させながら、このブロックＢを炉１内において出入口５と反対方向に移動させ、このような操作を繰り返して、炉床１０と移動フレーム２０とが一体化されて所定の長さになったブロックＢを順々に炉１内に導入させる。
【００４２】
そして、このように炉１内に導入された各ブロックＢにおける炉床１０相互および移動フレーム２０相互を連結させると共に、各ブロックＢにおける炉床１０を炉１に取り付けて、炉１内に連続した炉床１０と移動フレーム２０とをセットする一方、炉床１０と移動フレーム２０とを連結している上記の連結部材１４を取り外して、炉床１０と移動フレーム２０とを分離させると共に、支持部２３に取り付けられた補助部材２４を取り外すようにする。なお、炉１内に導入されたそれぞれのブロックＢにおける炉床１０相互及び移動フレーム２０相互を連結させる操作は、全てのブロックＢを炉１内に導入させた後にまとめて行っても、ブロックＢを導入させる毎に行ってもよい。
【００４３】
また、上記のように連結部材１４によって連結されて一体化された炉床１０と移動フレーム２０を炉１内に導入させるにあたり、一体化された炉床１０と移動フレーム２０が上記の２つの回転リング３１に支持されない場合には、前記の図６に示したように、上記の補助部材２４或いは移動フレーム２０に延長フレーム２５を取り付け、上記の一体化された炉床１０と移動フレーム２０が２つ以上の回転リング３１によって安定して支持されるようにすることができる。
【００４４】
その後、上記のように連結された移動フレーム２０に前後移動用シリンダ３４を取り付けると共に、炉１の天井部４に設けた出入口５を閉塞させる。
【００４５】
このようにすると、連結部材１４により連結されて一体化された炉床１０と移動フレーム２０とを、炉１内において回転する回転リング３１により簡単に移動させることができ、従来のように炉内や炉底部にレールを敷設し、移動台車に設けられた吊上げ装置や走行台車に設けられたジャッキ部により、一体化された所定長さの炉床と移動フレームを保持させ、上記のレールに沿って移動台車や走行台車を何度も往復移動させる必要がなくなる。
【００４６】
なお、この実施形態においては、移動フレーム２０の下部に突出するようにして補強用の支持部２３を設けたため、この支持部２３に補助部材２４を取り付けて移動フレーム２０の下端が平坦になるようにしたが、移動フレーム２０が十分な強度を有しており、補強用の支持部２３を設けない場合には、移動フレーム２０の下端が平坦になっているため、補助部材２４を取り付ける必要はない。
【００４７】
また、この実施形態においては、ウォーキングビーム駆動手段３０において、移動フレーム２０を上下方向に往復移動させるにあたり、回転装置３２によって回転される偏心カム３３を設け、この偏心カム３３の外周に回転体３１となる回転リング３１を回転自在に装着させるようにしたが、移動フレーム２０を上下方向に往復移動させる手段はこのようなものに限定されず、従来から用いられている公知の手段を用いることができる。
【００４８】
例えば、図８（Ａ），（Ｂ）に示すように、往復移動用シリンダ（図示せず）等によって往復移動される作動フレーム３５の上、下に、上ローラ３５ａと下ローラ３５ｂとを取り付け、この上ローラ３５ａの上に移動フレーム２０を支持させる一方、下ローラ３５ｂが接触する床Ｇに傾斜案内部３６を設けるようにすることができる。そして、上記の作動フレーム３５を往復移動させると、作動フレーム３５の下に取り付けられた下ローラ３５ｂが傾斜案内部３６に沿って移動し、これに伴って、この作動フレーム３５の上に取り付けられた上ローラ３５ａによって移動フレーム２０が上下方向に往復移動されるようになる。なお、この場合には、移動フレーム２０を支持する上記の上ローラ３５ａが、移動フレーム２０を支持して回転する回転体として作用する。
【００４９】
また、図９（Ａ），（Ｂ）に示すように、支点３７ａを中心に回動する回動アーム３７の上部側の端部に回転ローラ３８を回転可能に設け、この回転ローラ３８に上記の移動フレーム２０を支持させる一方、この回動アーム３７の下部側の端部に、この回動アーム３７を回動させる回動用シリンダ３９を取り付けるようにすることができる。そして、この回動用シリンダ３９により回動アーム３７を回動させると、これに伴って回動アーム３７の上部側の端部に設けられた回転ローラ３８が上下方向に回動し、この回転ローラ３８により移動フレーム２０が上下方向に往復移動されるようになる。なお、この場合には、移動フレーム２０を支持する上記の回転ローラ３８が、移動フレーム２０を支持して回転する回転体として作用する。
【符号の説明】
【００５０】
１  炉
２  取出し口
３  扉
４  天井部
５  出入口
１０  炉床
１１  支持部材
１２  固定ビーム
１３  貫通部
１４  連結部材
２０  移動フレーム
２１  支持部材
２２  駆動ビーム
２３  支持部
２３ａ  凹部
２４  補助部材
２５  延長フレーム
３０  ウォーキングビーム駆動手段
３１  回転リング（回転体）
３２  回転装置
３３  偏心カム
３４  前後移動用シリンダ
３５  作動フレーム
３５ａ  上ローラ（回転体）
３５ｂ  下ローラ
３６  傾斜案内部
３７  回動アーム
３７ａ  支点
３８  回転ローラ（回転体）
３９  回動用シリンダ
４０  昇降装置
４１  ウインチ
Ｂ  ブロック
Ｇ  床
Ｗ  被処理物
【図１】
0005709622.tif 000002
【図２】
0005709622.tif 000003
【図３】
0005709622.tif 000004
【図４】
0005709622.tif 000005
【図５】
0005709622.tif 000006
【図６】
0005709622.tif 000007
【図７】
0005709622.tif 000008
【図８】
0005709622.tif 000009
【図９】
0005709622.tif 000010